(57)【要約】      （修正有）【課題】包装することなくＴシャツやポロシャツ等のシャツ類等の衣類その他の商品を陳列出来ると共に、商品を引立せることで販売促進効果を向上させることが出来るダブルフレームハンガーを提供すること。【解決手段】ダブルフレームハンガー１は、吊下用フック３を有するハンガー本体２の下方に、シャツ等の商品を折り畳んで係止し得るハンガー枠体４を備えて構成されている。  ハンガー本体２は、左右両側に夫々山形に形成された左肩部５と右肩部６の端部に、略Ｕ字状に開口形成されてシャツ等の商品の左右の肩部を挟持し保持する左肩挟持部材７と右肩挟持部材８とを備えている。また、ハンガー枠体４は、ハンガー本体の下側に連設して略四角枠形状その他の枠形状に形成された外枠１１と、該外枠１１の内側に連設して外枠１１内側との間に所定の隙間を開けて略四角枠形状その他の枠形状に形成された内枠１２と、からなる。【選択図】図１７
2007301332.tif 000002
【特許請求の範囲】
【請求項１】
吊下用フックを有するハンガー本体の下方に、
シャツ等の衣類その他の商品を折り畳んで見易く展示陳列することができるように係止し得るハンガー枠体を備えている、
ことを特徴とするダブルフレームハンガー。
【請求項２】
ハンガー本体は、
左右両側に夫々山形に形成された左肩部と右肩部の端部に、
略Ｕ字状に開口形成されてシャツ等の衣類その他の商品の左右の肩部を挟持して保持する左肩挟持部材と右肩挟持部材とを備えてなる、
ことを特徴とする請求項１記載のダブルフレームハンガー。
【請求項３】
ハンガー枠体は、
ハンガー本体の下側に連設して略四角枠形状その他の枠形状に形成された外枠と、
該外枠の内側に連設して外枠内側との間に所定の隙間を開けて略四角枠形状その他の枠形状に形成された内枠と、
該内枠の上端内横材との間に所定の隙間を開けてシャツ等の衣類その他の商品の裾部を挟持して保持する左裾挟持部材と右裾挟持部材と、を備えてなる、
ことを特徴とする請求項１記載のダブルフレームハンガー。
【請求項４】
左肩挟持部材と右肩挟持部材とは、
内面に係止突部が突設形成されている、
ことを特徴とする請求項２記載のダブルフレームハンガー。
【請求項５】
左裾挟持部材と右裾挟持部材とは、
内枠の上端内横材の下側との間に所定の隙間を開けて設けられている、
ことを特徴とする請求項３記載のダブルフレームハンガー。
【請求項６】
左裾挟持部材と右裾挟持部材の上面には、
係止突部が突設形成されている、
ことを特徴とする請求項５記載のダブルフレームハンガー。
【請求項７】
係止突部は、
相対向する直線部または円弧部に対して僅かに間隙を有して突設形成されている、
ことを特徴とする請求項４または請求項６記載のダブルフレームハンガー。
【請求項８】
係止突部は、
半円弧状に突設形成されている、
ことを特徴とする請求項４、請求項６または請求項７記載のダブルフレームハンガー。
【発明の詳細な説明】
【技術分野】
【０００１】  本発明は、ダブルフレームハンガーに関し、特に包装することなくＴシャツやポロシャツ等のシャツ類等の衣類その他の商品を陳列出来ると共に、商品を引き立たせることで販売促進の効果を向上させることが出来るダブルフレームハンガーに関するものである。
【背景技術】
【０００２】  従来より、一般にＴシャツやポロシャツ等のシャツ類等の衣類その他の商品の商品陳列に際しては、該商品を折畳んで透明性のある包装により包装するか、該商品の一部が見える紙製のボックスに入れて陳列していた。【０００３】  しかしながら、かかる従来の商品陳列方法にあっては、商品を折畳む為に商品全体が見えず、しかも商品全体を見るために包装から取出して展開すると元の状態に戻すのが困難であるばかりでなく、下着等にあっては汚れる虞があるので取出して展開するのが不可能であるという問題点があり、販売促進の効果を減殺するという問題点があった。
【発明の開示】
【発明が解決しようとする課題】
【０００４】  このような従来技術の問題点に鑑み、本発明の主な目的は、
使用の際に商品を引き立たせることで販売促進の効果を向上させることができると共に、一目で商品の特徴を確認することができ、しかもスペース効率と省力性とに優れ、本来の機能を充分発揮することができるダブルフレームハンガーを提供することにある。
【課題を解決するための手段】
【０００５】  このような目的は、本発明によれば、
吊下用フックを有するハンガー本体の下方に、
シャツ等の衣類その他の商品を折り畳んで見易く展示陳列することができるように係止し得るハンガー枠体を備えている、
ことを特徴とするダブルフレームハンガー、
を提供することにより達成される。
【発明の効果】
【０００６】  このように、本発明によれば、
包装することなく直接ハンガーに掛けて展示することで、商品を引き立たせることで販売促進効果を向上させることができると共に、商品特徴を一目で確認することができ、さらにスペース効率と省力性とに優れ、本来の機能を充分発揮することができる効果がある。【０００７】  すなわち、
（１）商品を折畳んで包装するか、ボックスに入れて陳列する為に、商品全体特に商品主要部が見えないという従来の問題点を解消することができる。
（２）商品全体、特に商品主要部を見るために包装やボックスから取出して展開すると元の状態に戻すのが困難であるという従来の問題点を解消することができる。
（３）包装やボックスから取出して展開する手間が面倒であることや、展開や折畳する際に汚れる虞があること等の従来の問題点を解消することができる。
（４）商品が、包装するか、ボックスに入れて陳列してある為、商品の生地や色合いや意匠等の商品の特徴を確認するのが困難である等の従来の問題点を解消することができる。
（５）ハンガー枠体により商品を挟持して保持することができるので、型崩れのない陳列を可能とすることができる。
（６）包装やボックスに入れて陳列することなく、直接ハンガーに掛けて展示でき、包装やボックスから取出して展開した商品を再度包装やボックスに入れ直すという面倒な作業が不要となり、商品展示が簡易となると共に、省力化できるという効果がある。
（７）商品を全展開することなく、半展開して主要部を顧客が容易に見ることができるようにして展示できるので、商品の特徴を一目で確認するようにすることができる。
（８）商品を全展開することなく、半展開して展示できるので、スペースを取ることなく展示でき、スペース効率を高めることができる効果がある。
（９）包装やボックスに入れて陳列することなく直接ハンガーに掛けて展示することで、商品そのものを確認できるから、顧客にとって商品確認が容易となるという効果がある。
（１０）商品の生地や色合いや意匠等の商品の特徴を一目で確認することができ、さらにスペース効率と省力性とに優れ、本来の機能を充分発揮することができる効果がある。
（１１）包装することなく直接ハンガーに掛けて半展開して主要部を容易に見えるように展示できるので、商品を引き立たせて販売促進効果を向上できる効果がある。
（１２）Ｔシャツやポロシャツ等の展示に使用出来る他、これ以外の一般的衣料その他の商品に同要領にて使用でき、汎用的に幅広く使用できるという極めて大なる効果がある。
【発明を実施するための最良の形態】
【０００８】  次に、本発明を添付の図面を参照して、特定の実施の形態について詳述する。【０００９】  本発明のダブルフレームハンガーは、吊下用フックを有するハンガー本体の下方に、シャツ等の衣類その他の商品を折り畳んで見易く展示陳列することができるように係止し得るハンガー枠体を備えた、構成としたから、
包装により商品の一部しか見えないので、商品全体を見るために包装から取出して展開すしなければならず煩雑であるばかりでなく、下着等にあっては展開するのが不可能であるという問題点を解消し、
使用の際に商品を引き立たせることで販売促進の効果を向上させることができると共に、商品の生地や色合いや意匠等の商品の特徴を一目で確認することができ、しかもスペース効率と省力性とに優れ、本来の機能を充分発揮することができ、
従来の問題点の解消を図り使用勝手を飛躍的に向上させたものとなる優れたものとなる。
【実施例１】
【００１０】  図１〜図１８は、本発明に基づくダブルフレームハンガーの実施の形態の一実施例を示している。【００１１】  以下に添付の図面を参照して、本発明を特定の実施例について詳述する。【００１２】  図１〜図１８は、本発明の一実施例を示し、
ダブルフレームハンガー１は、吊下用フック３を有するハンガー本体２の下方に、
シャツ等の衣類その他の商品を折り畳んで見易く展示陳列することができるように係止し得るハンガー枠体４を備えて構成されており、
合成樹脂（プラスチック）や金属や複合材その他の材料から形成されている。【００１３】  該ハンガー本体２は、左右両側に夫々山形に形成された左肩部５と右肩部６の端部が略Ｕ字状に開口形成されてシャツ等の衣類その他の商品の左右の肩部を挟持して保持する左肩挟持部材７と右肩挟持部材８とを備えている。【００１４】  該略Ｕ字状に開口形成された左肩挟持部材７と右肩挟持部材８の内面には、
相対向して複数（本実施例にあっては２個）の係止突部９が突設形成されている。【００１５】  この係止突部９は、相対向する直線部と係止突部９に対して僅かに間隙を有して突設形成されている。【００１６】  さらに、該係止突部９は、半円弧状に突設形成されている、【００１７】  一方、前記右肩部６の上端部には、平板状の外板１０が連設されている。【００１８】  また、上記ハンガー枠体４は、
ハンガー本体の下側に連設して略四角枠形状その他の枠形状に形成された外枠１１と、
該外枠１１の内側に連設して外枠１１内側との間に所定の隙間を開けて略四角枠形状その他の枠形状に形成された内枠１２と、からなる。【００１９】  該外枠１１は、上記ハンガー本体２の下端に水平に連設された上端外横材１３と、
該上端外横材１３の左右端の下側に垂設された左外縦材１４と右外縦材１５と、
該左縦材１４と右縦材１５の下端に水平に連設された下端外横材１６と、からなる。【００２０】  また、上記内枠１２は、上記ハンガー本体２の下端に連設して上記上端外横材１３との間に所定の隙間を開けて略並列に設けられた上端内横材１７と、
上記左外縦材１４と右外縦材１５との間に所定の隙間を開けて並列に上記上端内横材１７の左右端の下側に垂設された左内縦材１８と右内縦材１９と、
上記下端外横材１６との間に所定の隙間を開けて略並列に上記左内縦材１８と右内縦材１９の下端に連設する下端内横材２０と、からなる。【００２１】  また、上記内枠１２の上端内横材１７と下端内横材２０との中間部には、上記左内縦材１８と右内縦材１９とに連設して所定の幅を有する板状の内板２１が設けられている。【００２２】  さらに、上記内枠１２の左内縦材１８と右内縦材１９の上端内側に上端内横材１７との間に所定の隙間を開けて略並列に連設して、上面に係止突部を有してシャツ等の衣類その他の商品の裾部を挟持して保持する左裾挟持部材２２と右裾挟持部材２３と、が設けられている。【００２３】  この左裾挟持部材２２と右裾挟持部材２３の上面には、内枠１２の上端内横材１７に対向して複数（本実施例にあっては２個）の係止突部２４、２４が突設形成されている。【００２４】  また、該係止突部２４は、相対向する直線部に対して僅かに間隙を有して突設形成されている。【００２５】  さらに、係止突部２４は、半円弧状に突設形成されている。【００２６】  次に、本発明のダブルフレームハンガーの実施の形態の用法について説明する。【００２７】  本発明のダブルフレームハンガー１によれば、Ｔシャツやポロシャツ等のシャツ類等の衣類その他の商品Ｓをダブルフレームハンガー１に掛けて展示することで、商品Ｓを包装することなく商品陳列出来ると共に、商品Ｓを引き立たせることで販売促進の効果を向上させることができ、本来の機能を充分発揮することができる。【００２８】  この際、本発明の用法を上記実施例のダブルフレームハンガー１によって詳述する。【００２９】  すなわち、図１４〜図１８に良く示されているように、
（１）まず、Ｔシャツやポロシャツ等のシャツ類等の衣類その他の商品Ｓの襟ぐりＳ１にハンガー本体２を挿入して、商品Ｓの左肩部Ｓ２と右肩部Ｓ３をハンガー枠体４の左肩部５と右肩部６にて係止させると共に、左肩部Ｓ２と右肩部Ｓ３の外側背面を左肩挟持部材７と右肩挟持部材８に挿入して係止突部９にて挟持させる。
（２）次に、商品Ｓの左肩部Ｓ２と右肩部Ｓ３を折返して、
左袖Ｓ４と右袖Ｓ５とを背面側に重合せて外枠１１（左外縦材１４と右外縦材１５）と内枠１２（左内縦材１８と右内縦材１９と内板２１）の間に挟持する。
（３）次に、商品Ｓの裾部Ｓ７の所で折返して重合せる。
（４）つづいて、商品Ｓの全長の略１／２程度の長さの中間部Ｓ６を折返し、内枠１２（左内縦材１８と右内縦材１９と内板２１）を内側にして、商品Ｓの外側背面に重合せ、前記折返した裾部Ｓ７の左右の一方（本例にあっては左側裾部Ｓ８）を左裾挟持部材２２と右裾挟持部材２３の一方（本例にあっては左裾挟持部材２２）に挿入して係止突部２４にて係止する。
（５）さらに、折返した裾部Ｓ７の左右の他方（本例にあっては右側裾部Ｓ９）を左裾挟持部材２２と右裾挟持部材２３の他方（本例にあっては右裾挟持部材２３）に挿入して係止突部２４にて係止する。
（６）次に、このようにして商品Ｓの左肩部Ｓ２と右肩部Ｓ３を左肩挟持部材７と右肩挟持部材８に夫々挿入係止すると共に、折返した左側裾部Ｓ８を左裾挟持部材２２に、折返した右側裾部Ｓ９を右裾挟持部材２３に、夫々挿入し係止突部２４にて係止した状態で、前後を逆にして商品Ｓの背面を後側にすると共に、商品Ｓの前面を前側にして、吊下用フック３を商品展示用陳列台の支持棒等に係止して陳列することで、商品Ｓを包装することなく商品陳列状態とすることができる。【００３０】  これによって、本発明のダブルフレームハンガー１を商品Ｓのハンガーとして使用し、その主要部を前面に出して展示することで顧客の目につくようにすることができ、使用の際に商品Ｓの主要部を目立たせることが出来、商品Ｓを引き立たせることで、販売促進の効果を向上させることができ、しかも本来の機能を充分発揮することができる。【００３１】  従って、このダブルフレームハンガー１を使用することにより、従来、包装した商品Ｓの全体が見えず、しかも商品全体を見るために包装から取出して展開すると元の状態に戻すのが困難で、展開折畳み時に下着等にあっては汚れる虞がある等の問題点を解消できるばかりでなく、全展開した商品をハンガーに掛けることによるスペース効率の悪化や商品が良く見えない等の販売促進効果を減殺するという従来の問題点を解消できる。【００３２】  さらに、本発明のダブルフレームハンガー１を使用することで、商品Ｓを引き立たせることが出来、販売促進の効果を著しく向上させることができる。【００３３】  尚、本発明のダブルフレームハンガー１は、前記実施例に限られるものでなく、例えばハンガー本体２の左肩挟持部材７と右肩挟持部材８の形状は、前記実施例の係止突部９を相対向して各１個づつ設けたものに限られることなく、係止突部９を相対向して各２個以上づつ設けたものや相対向する一方を直線とすることができるのは勿論である。【００３４】  また、ハンガー枠体４の左裾挟持部材２２と右裾挟持部材２３とは、
相対向する一方を直線とすると共に相対向する他方に係止突部２４を２個設けたものに限られることなく、係止突部２４を相対向して各１個以上づつ設けたものとすることができるのは勿論である。【００３５】  さらに、係止突部９や係止突部２４は、前記実施例の半円弧状に限られるものでなく、例えば、多数の凹凸波型に形成したものや、細かい台形の凹凸多数で形成したもの等の形状とすることができるのは勿論である。
【図面の簡単な説明】
【００３６】
【図１】  本発明のダブルフレームハンガーの実施の形態の一実施例を示す正面図である。
【図２】  同背面図である。
【図３】  同左側面図である。
【図４】  同右側面図である。
【図５】  同正面図のＡ−Ａ断面図である。
【図６】  同正面図のＢ−Ｂ断面図である。
【図７】  同正面図のＣ−Ｃ断面図である。
【図８】  同正面図のＤ−Ｄ断面図である。
【図９】  同正面図のＥ−Ｅ断面図である。
【図１０】  同正面図のＦ−Ｆ断面図である。
【図１１】  同正面図のＧ−Ｇ断面図である。
【図１２】  同正面図のＨ−Ｈ断面図である。
【図１３】  同正面図のＪ−Ｊ断面図である。
【図１４】  本発明のダブルフレームハンガーの実施の形態の用法の内、商品Ｓの襟ぐりＳ１にハンガー本体２を挿入して商品Ｓの左肩部Ｓ２と右肩部Ｓ３をハンガー本体２の左肩部５と右肩部６にて係止させ、商品Ｓの左肩部Ｓ２と右肩部Ｓ３の外側背面を左肩挟持部材７と右肩挟持部材８に挿入して係止突部９にて挟持させると共に、左袖Ｓ４と右袖Ｓ５とを背面側に重合せて外枠１１と内枠１２の間に挟持した状態を示す背面図である。
【図１５】  同用法の内、商品Ｓの裾部Ｓ７のところで折返して重合せた状態を示す背面図である。
【図１６】  同用法の内、商品Ｓの全長の略１／２程度の長さの中間部Ｓ６を折返して外側背面に重合せ、前記折返裾部Ｓ７の左側裾部Ｓ８を左裾挟持部材２２に挿入して係止突部２４にて係止すると共に、前記折返裾部Ｓ７の右側裾部Ｓ９を右裾挟持部材２３に挿入して係止突部２４にて係止した状態を示す背面図である。
【図１７】  同用法の内、ダブルフレームハンガー１にて商品Ｓを係止した状態で前後を逆にして背面を後側にすると共に前面を前側にして、吊下用フック３を商品展示用陳列台の支持棒等に係止することで商品陳列状態とした状態を示す正面図である。
【図１８】  図１７のＫ−Ｋ断面図である。
【符号の説明】
【００３７】１      ダブルフレームハンガー
２      ハンガー本体
３      吊下用フック
４      ハンガー枠体
５      左肩部
６      右肩部
７      左肩挟持部材
８      右肩挟持部材
９      係止突部
１０    外板
１１    外枠
１２    内枠
１３    上端外横材
１４    左外縦材
１５    右外縦材
１６    下端外横材
１７    上端内横材
１８    左内縦材
１９    右内縦材
２０    下端内横材
２１    内板
２２    左裾挟持部材
２３    右裾挟持部材
２４    係止突部
Ｓ      商品（Ｔシャツやポロシャツ等のシャツ類等の衣類その他）
Ｓ１    襟ぐり
Ｓ２    左肩部
Ｓ３    右肩部
Ｓ４    左袖
Ｓ５    右袖
Ｓ６    中間部
Ｓ７    裾部
Ｓ８    左側裾部
Ｓ９    右側裾部
【図１】
2007301332.tif 000003
【図２】
2007301332.tif 000004
【図３】
2007301332.tif 000005
【図４】
2007301332.tif 000006
【図５】
2007301332.tif 000007
【図６】
2007301332.tif 000008
【図７】
2007301332.tif 000009
【図８】
2007301332.tif 000010
【図９】
2007301332.tif 000011
【図１０】
2007301332.tif 000012
【図１１】
2007301332.tif 000013
【図１２】
2007301332.tif 000014
【図１３】
2007301332.tif 000015
【図１４】
2007301332.tif 000016
【図１５】
2007301332.tif 000017
【図１６】
2007301332.tif 000018
【図１７】
2007301332.tif 000019
【図１８】
2007301332.tif 000020